(57)【特許請求の範囲】
【請求項１】
内側表面及び後縁部を備える、おむつと、
前記後縁部にほぼ平行な方向に沿って細長く伸び、前記内側表面の一部分に結合された、阻止部材と、を備え、
前記阻止部材が、
前記内側表面の前記一部分と同一の広がりをもつ弾性パッドと、
前記弾性パッドに接合されており、複数の場所で再配置可能に前記内側表面に取り付けることが可能な、取り付け層と、を備え、
前記弾性パッドが、弾性コアと、前記弾性コアを囲みかつ上部シェル層及び底部シェル層を有するシェルとを備え、かつ、前記内側表面に垂直な方向に沿って画定された、５ミリメートル〜２０ミリメートルの範囲の厚さを有し、前記弾性コアが、２５０グラム毎平方センチメートルの荷重下で、前記弾性コアの非圧縮厚さの少なくとも５０パーセントまで圧縮し、かつ、前記弾性コアの元の厚さの５０パーセントまで１０分間にわたって圧縮された後、前記弾性コアの元の厚さの少なくとも８０パーセントまで回復し、回復が、前記荷重の解除後の３０秒以内に生じ、
前記上部シェル層の周縁部は、シームに沿って、前記底部シェル層の周縁部で封止されることにより、前記弾性コアに密接に適合するエンクロージャが提供される、
おむつ組立品。
【請求項２】
前記取り付け層が、前記シェルに接合されている、請求項１に記載のおむつ組立品。
【請求項３】
前記シェルが、不織布ウェブを備える、請求項１に記載のおむつ組立品。
【請求項４】
前記取り付け層が、外側表面と、前記外側表面上に配設された、機械的締結具の雄型要素とを有する、請求項１〜３のいずれか一項に記載のおむつ組立品。
【請求項５】
前記機械的締結具の前記雄型要素が、網状の複製フック材料を備える、請求項４に記載のおむつ組立品。
【請求項６】
前記おむつが、前記機械的締結具の前記雄型要素に係合して、機械的に保持する、不織布トップシートを備える、請求項４又は５に記載のおむつ組立品。
【請求項７】
前記取り付け層が、感圧性接着剤を備える、請求項１〜６のいずれか一項に記載のおむつ組立品。
【請求項８】
前記取り付け層が、非連続的である、請求項１〜７のいずれか一項に記載のおむつ組立品。
【請求項９】
前記弾性パッドが、独立気泡ポリエチレン発泡体、連続気泡ポリウレタン発泡体、又はポリエステル中綿を備える、請求項１〜８のいずれか一項に記載のおむつ組立品。
【請求項１０】
おむつからの漏れを低減する方法であって、
前記おむつの後縁部にほぼ平行な方向に沿って細長く伸び、かつ、弾性パッドと、前記弾性パッドに接合された取り付け層とを有する、阻止部材を提供するステップであって、前記取り付け層が、前記おむつの内側表面に取り付け可能である、ステップと、
前記取り付け層を、前記内側表面の一部分に結合して、おむつ組立品を提供するステップであって、前記阻止部材が、前記内側表面の前記一部分と同一の広がりをもつ、ステップと、
前記おむつ組立品を着用者に締結することにより、前記阻止部材が、前記着用者の背部の輪郭に適合して、放出されたあらゆる排泄物が、前記おむつから漏出することを防ぐ、ステップと、を含み、
前記弾性パッドが、弾性コアと、前記弾性コアを囲みかつ上部シェル層及び底部シェル層を有するシェルとを備え、かつ、前記内側表面に垂直な方向に沿って画定された、５ミリメートル〜２０ミリメートルの範囲の厚さを有し、前記弾性コアが、２５０グラム毎平方センチメートルの荷重下で、前記弾性コアの非圧縮厚さの少なくとも５０パーセントまで圧縮し、かつ、前記弾性コアの元の厚さの５０パーセントまで１０分間にわたって圧縮された後、前記弾性コアの元の厚さの少なくとも８０パーセントまで回復し、回復が、前記荷重の解除後の３０秒以内に生じ、
前記上部シェル層の周縁部は、シームに沿って、前記底部シェル層の周縁部で封止されることにより、前記弾性コアに密接に適合するエンクロージャが提供される、
方法。
【請求項１１】
前記取り付け層が、前記おむつの前記内側表面に、剥離可能に取り付け可能である、請求項１０に記載の方法。
【請求項１２】
前記阻止部材を前記内側表面から後で取り外して、同じおむつ又は異なるおむつの、前記内側表面の異なる部分に再び取り付けることができるように、前記取り付け層が再配置可能である、請求項１０又は１１に記載の方法。
【請求項１３】
容器と、
前記容器内に収容された、複数の阻止部材であって、各阻止部材が、弾性パッドと、前記弾性パッドに接合された取り付け層とを備え、前記取り付け層が、おむつの内側表面への剥離可能な取り付けを可能にする構成を有する、複数の阻止部材と、を備え、
前記弾性パッドが、弾性コアと、前記弾性コアを囲みかつ上部シェル層及び底部シェル層を有するシェルとを備え、かつ、前記内側表面に垂直な方向に沿って画定された、５ミリメートル〜２０ミリメートルの範囲の厚さを有し、前記弾性コアが、２５０グラム毎平方センチメートルの荷重下で、前記弾性コアの非圧縮厚さの少なくとも５０パーセントまで圧縮し、かつ、前記弾性コアの元の厚さの５０パーセントまで１０分間にわたって圧縮された後、前記弾性コアの元の厚さの少なくとも８０パーセントまで回復し、回復が、前記荷重の解除後の３０秒以内に生じ、
前記上部シェル層の周縁部は、シームに沿って、前記底部シェル層の周縁部で封止されることにより、前記弾性コアに密接に適合するエンクロージャが提供される、
おむつ付属品。
【発明の詳細な説明】
【技術分野】
【０００１】
本明細書では、吸収性物品用の付属品に関する、組立品及び方法が提供される。より詳細には、これらの吸収性物品は、着用型吸収性物品である。
【背景技術】
【０００２】
おむつは、トイレを使用せずに、個別の排便又は排尿を可能にする、下着の一種である。一般に、おむつは、乳幼児によって着用されるが、失禁問題に対処している大人によってもまた使用されるように構成される場合もある。おむつを使用する人々は、昼夜を問わずいつでも、かつ長時間にわたって、おむつを着用することがある。便宜上、おむつは、任意選択的に使い捨てであり、着用者のサイズ、着用者の性別、企図される具体的なおむつの用途、及び、皮膚感受性若しくはユーザーの嗜好などの他の考慮事項に従って、設計されている。
【０００３】
おむつを着用している人々は、一般的に、自身の排泄を制御することが不可能であるため、体液及び他の排泄物は随時、おむつ内に堆積する可能性がある。このことが生じた場合、それらの体液及び他の排泄物を、おむつの内部に保持して、漏れを防ぐことが望ましい。乳幼児の排泄物を、おむつ内に封じ込めることは、技術的に容易ではない場合があり、特に、その乳幼児が、水様便を生じさせることが多い母乳で育てられている場合に困難である。この封じ込めの問題は、疾病によって一層悪化する恐れがあり、これにより、体が汚れるような便通がもたらされる恐れがある。乳幼児はまた、一般に「噴出」と称される、突然かつ予期せぬ仕方の便通がある場合もあり、有効な漏れ防止を極めて困難にさせる。
【発明の概要】
【０００４】
上述の問題を解決するための従来の試みでは、着用者の胴回りの周囲に改善されたシールを有する、強化されたおむつを提供することに焦点が合わせられてきた。そのような強化策には、例えば、おむつが着用されている場合に、乳幼児の胴回りの周囲で密接に適合する、折り畳み式、積層式、若しくはプリーツ式の腰部シール又は他の防漏ガードが含まれていた。これらの解決策は、有効な場合もあるが、汎用性を欠くものである。これらの組み込み型シールは、おむつの嵩を著しく増大させ、それが必要か否かに関わりなく存在するものである。使い捨ておむつの場合、これらのシールは、おむつの他の部分と共に処分されて、廃棄物となる。更には、それらのシールは、着用者の身体の特定の輪郭に適合するように、移動又は調節することができない。最後に、これらのおむつは、広範囲の既存のおむつ構成に勝る使用の容易性を提供するものではない。提供されるおむつ付属品は、これらの欠点の全てに対処する。
【０００５】
第１の態様では、おむつ組立品が提供される。このおむつ組立品は、内側表面を備える、おむつと、この内側表面の一部分に結合された、阻止部材とを備え、この阻止部材は、内側表面の一部分と同一の広がりをもつ弾性パッドと、この弾性パッドに接合されており、複数の場所で再配置可能に内側表面に取り付けることが可能な、取り付け層とを備える。
【０００６】
第２の態様では、おむつからの漏れを低減する方法が提供され、この方法は、弾性パッドと、この弾性パッドに接合された取り付け層とを有する、阻止部材を提供するステップであって、この取り付け層が、おむつの内側表面に取り付け可能である、ステップと、取り付け層を、内側表面の一部分に結合して、おむつ組立品を提供するステップであって、阻止部材が、その内側表面の一部分と同一の広がりをもつ、ステップと、このおむつ組立品を着用者に締結することにより、阻止部材が、着用者の背部の輪郭に適合して、放出されたあらゆる排泄物が、おむつから漏出することを防ぐ、ステップとを含む。
【０００７】
第３の態様では、パッケージ化組立品が提供され、このパッケージ化組立品は、容器と、
この容器内に収容された、複数の阻止部材であって、各阻止部材が、弾性パッドと、その弾性パッドに接合された取り付け層とを備え、この取り付け層が、おむつの内側表面への剥離可能な取り付けを可能にする構成を有する、複数の阻止部材とを備える。
【図面の簡単な説明】
【０００８】
以下の図面を参照して、例示的実施形態を更に説明するものとする。
【図１】例示的な完成おむつ組立品の平面図である。
【図２】例示的実施形態による、図１の完成おむつ内で使用されるおむつ付属品の、その上面を示す平面図である。
【図３】図２のおむつ付属品の、その底面を示す平面図である。
【図４】図１の平面４−４を表す、図１、図２のおむつ付属品の側断面図である。
【図５】図２〜図４のおむつ付属品を製造する、例示的な連続方法を示す概略図である。
【図６】別の例示的実施形態による、おむつ付属品の、その上面を示す平面図である。
【図７】図６の平面７−７を表す、おむつ付属品の側断面図である。
【図８】更に別の例示的実施形態による、おむつ付属品の平面図である。
【図９】図８の平面９−９を表す、おむつ付属品の側断面図である。
【０００９】
本明細書で使用するとき、
「おむつ」とは、一般に乳幼児又は失禁者によって着用され、その着用者の下部胴体の周囲に着用される、吸収性物品を指す。
【００１０】
「使い捨て」とは、使用後に、洗濯されること、又は他の方法で修復若しくは再使用されることが意図されていない、物品を指す。
【００１１】
「弾性的に圧縮可能な」材料とは、２５０グラム毎平方センチメートルの荷重下で、その非圧縮厚さの少なくとも５０パーセントまで圧縮し、かつ、その元の厚さの５０パーセントまで１０分間にわたって圧縮された後、その元の厚さの少なくとも８０パーセントまで回復し、この回復が、圧縮力の解除後の３０秒以内に生じる、材料を指す。
【発明を実施するための形態】
【００１２】
本明細書及び図面中で繰り返し使用される参照符合は、本開示の同じ又は類似の特徴部若しくは要素を表すことを意図するものである。本開示の原理の範囲及び趣旨に含まれる、他の多くの修正形態及び実施形態が、当業者によって考案され得ることを理解されたい。これらの図は、縮尺どおりに描かれていない場合がある。
【００１３】
１つの例示的実施形態による、おむつ組立品が図１に示され、以降では数字１００によって参照される。おむつ組立品１００は、その平坦化状態で示されている。着用者に面するように又は接触するように意図された、おむつ組立品１００の諸部分は、図１では、閲覧者の方向に向けられている。
【００１４】
図示のように、おむつ組立品１００は、一般的に、おむつ１０２と、おむつ１０２に結合された阻止部材１０４とを含む。また、おむつ１０２は、前縁部１０９及び後縁部１１１を有する、概して矩形形状の本体部１０６と、前縁部１０９に隣接して、本体部１０６の外側部に結合された、一対の対向する前側耳部１０８と、後縁部１１１に隣接して、本体部１０６の外側部に結合された、一対の対向する後側耳部１１０とで構成される。任意選択的な構成要素として、おむつ１０２は、本体部１０２の後縁部１１１に沿って位置合わせされた、後側弾性ウエストバンド１１２を更に含む。この実施形態では、阻止部材１０４は、ウエストバンド１１２の細長形状に、又は、より一般的には、おむつ１０２の後縁部１１１に、ほぼ平行に方向付けられた、細長形状を有する。
【００１５】
多くの変異形が可能であることが理解されよう。例えば、阻止部材１０４は、部分的又は完全に、ウエストバンド１１２と重なり合う場合がある。ウエストバンド１１２は、任意の妥当な長さ及び幅を有し得るものであり、図１に示されるものとは全く異なる形状を有する場合がある。
【００１６】
本体部１０６は、吸収性の内側表面１１４を有する。ここで限定することを意図するものではないが、内側表面１１４は、この図では不可視の、本体部１０６の追加的構成要素の上に延びる、水透過性トップシートを備え得る。例えば、この透過性トップシートは、吸収性部材の上に延び得るものであり、その吸収性部材は同様に、液体不透過性の裏材の上に延びる。おむつ１０２に関する、更なる選択肢及び有利な特徴が、米国特許第７，８４２，０２１号（Ｗｏｏｄら）で説明されている。
【００１７】
着用された場合、おむつ組立品１００は、本体部１０６の前縁部及び後縁部が、着用者の腰部を共同して取り囲む、「Ｕ字」形状を呈する。
【００１８】
阻止部材１０４は、本体部１０６の内側表面１１４に、剥離可能に取り付け可能であり、おむつ１０２が着用されている場合、内側表面１１４と、着用者の腰のくびれの若干下方の臀裂との間のシールを形成する。突然の便通の場合には、このシールは、排泄物が外向きに放出されて、本体部１０６の後縁部１１１に到達することを防ぐ。このシールはまた、その後の、おむつに対する圧力、及び着用者の身体動作の結果として、そのような排泄物が後縁部１１１に到達することを防ぐためにも役立ち得る。
【００１９】
阻止部材１０４は、一般的に、おむつ１０２が着用される前に、おむつ１０２上に定置されるが、特定のパンツ式おむつでは、おむつを引き上げた後に、おむつ内に阻止部材を定置することが好ましい場合もある。好ましくは、阻止部材１０４は、再配置可能であることにより、本体部１０６上に阻止部材１０４を最初に定置した後に、内側表面１１４に沿った阻止部材１０４の場所及び向きを、手作業で調節することができる。そのような場合には、阻止部材１０４を取り外して、後縁部１１１により近接するか又はより遠く離れた、複数の異なる場所に再び取り付けることにより、着用者に対するシールを改善することができる。
【００２０】
おむつ組立品１００の阻止部材１０４を、図２〜図４でより詳細に示す。最初に図２を参照すると、その上向き表面の図が示されており、阻止部材１０４は、埋め込みコア部材１１８を囲むシェル１１６で構成された、弾性パッド１１５を含む。コア部材１１８は、通常は隠れているが、図２及び図３では、例示の目的のために点線で示されている。
【００２１】
任意選択的に、また図示のように、シェル１１６は、上部シェル層１２０及び底部シェル層１２２を有する、２部品構成要素である。図４の断面図で示されるように、上部シェル層１２０の周縁部は、シーム１２４に沿って、底部シェル層１２２の周縁部で恒久的に封止されることにより、コア部材１１８に密接に適合するエンクロージャが提供される。シーム１２４は、コア部材１１８が適切に固定される限り、コア部材１１８の外周の全体、又はその一部分のみに延び得る。上部シェル層１２０と底部シェル層１２２との間のシーム１２４は、例えば、ラミネート加工、接着剤接合、超音波接合、圧着、表面結合、縫製、テーピング、及びこれらの組み合わせを含めた、当該技術分野において既知の、数多くの方法のうちのいずれかを使用して封止することができる。
【００２２】
簡略化のために、シェル１１６及びコア部材１１８は、互いに直接接触して示されているが、所望により、それらの間には、機能的及び／又は装飾的な目的のために、１つ以上の追加層を介在させることが可能であり、いずれの構成要素も、それ自体が２つ以上の層を含み得ることが理解されよう。例えば、シェル１１６にコア部材１１８を接合する接着剤層によって、コア部材１１８を、部分的又は完全に囲むことにより、これらの構成要素の、互いに対する望ましくない滑動を、低減又は排除することが可能である。
【００２３】
着用者の皮膚との接触が意図されているため、シェル１１６は、好ましくは、感触が柔らかい材料から作製される。一部の実施形態では、シェル１１６は、不織布材料から作製される。好ましい不織布材料としては、ポリオレフィン不織布材料が挙げられる。不織布材料のタイプは、制限されるものではなく、例えば、接合カード式不織布ウェブ、スパンボンド不織布ウェブ、スパンレース不織布ウェブ、メルトブローン不織布ウェブ、エアレイド不織布ウェブ、及びこれらの組み合わせを挙げることができる。
【００２４】
コア部材１１８は、弾性的に圧縮可能な多種多様な材料のうちのいずれかから、作製することができる。特に好適な材料としては、独立気泡ポリエチレン発泡体、連続気泡ポリウレタン発泡体、及び高ロフトの中綿材料が挙げられる。しかしながら、概言すれば、可能な材料としては、ガーゼ、布、紙、スポンジ、プラスチック、あるいは、着用者の快適性及び／又は健康に悪影響を及ぼさない、漏れ防止を改善することが可能な任意の他の材料を挙げることができる。
【００２５】
発泡体材料は、おむつ組立品１００の着用者に、より多大な快適性をもたらす、その著しく圧縮する能力のため、有益である。好ましい実施形態では、この発泡体は、弾性的に圧縮可能である。
【００２６】
好適な中綿材料としては、綿、ポリエステル、及び／又は羊毛から作製された、中綿材料が挙げられる。これらの材料もまた、好ましくは、弾性的に圧縮可能である。
【００２７】
一部の実施形態では、弾性パッド１１５は、適切なシールを提供するために十分に厚いが、同時にまた、着用者にとって快適でもあるように十分に薄い、全厚を有する。この厚さは、本明細書では、内側表面に垂直な方向に沿ったものとして画定され、好ましくは、５ミリメートル〜２０ミリメートルの範囲である。しかしながら、弾性パッド１１５の剛性及び圧縮性に応じて、この範囲外の厚さが適切な場合もある。
【００２８】
厚さに加えて、弾性パッド１１５の他の寸法もまた、阻止部材１０４の性能に影響を及ぼし得る。阻止部材１０４の周囲での漏れを予防するために、弾性パッド１１５は、好ましくは、図面に示されるような直方柱の形状などの、細長形状を有する。長さは決定的なものではないが、弾性パッド１１５の特定の実施形態は、おむつの後縁部１１１に沿って延びる長さ寸法を有する。この長さは、後縁部１１１に平行な方向に沿って画定される場合には、例えば、弾性パッドが、その弛緩（非圧縮）構成にあるときに測定された場合、３５ミリメートル〜１５０ミリメートルの範囲とすることが可能である。
【００２９】
阻止部材１０４の形状は、特に限定されるものではない。特定の実施形態では、阻止部材１０４は、帯、線、点、正方形、矩形、円、円弧、菱形、台形の形状、又は、おむつの漏れ抵抗が改善されるように、おむつ内に配設することが可能な、任意の他の形状にすることができる。
【００３０】
弾性パッド１１５の前後方向の寸法は、おむつ組立品が適正な期間にわたって着用される場合に、固体及び液体の排泄物が、阻止部材１０４を横断することを防ぐために、十分なものとするべきである。一部の実施形態では、この弾性パッドは、弛緩時に、１０ミリメートル〜５０ミリメートルの範囲の前後方向の幅を有する。
【００３１】
任意選択的に、コア部材１１８は、少なくとも、ある程度吸収性であることにより、阻止部材１０４は、液体及び固体の排泄物の通過を阻止するばかりではなく、この排泄物のうちの一部を、その内部に保持するように作用することも可能となる。そのような機能は、例えば、おむつが飽和状態になった場合に、着用者に、向上した快適性を提供することが可能である。この目的に関して有用な材料としては、ポリアクリレート吸収材などの超吸収性ゲル、及び連続気泡親水性発泡体が挙げられる。
【００３２】
図３及び図４に示されるように、阻止部材１０４は、底部シェル層１２２の外向き表面の上に延びて接触する、取り付け層１２６を更に含む。取り付け層１２６は、感圧性接着剤、ホットメルト接着剤、超音波接合、圧着、表面結合を使用して、又は機械的締結機構を使用して、底部シェル層１２２に締結することができる。更には、取り付け層１２６のサイズは、決定的なものではなく、使用中の、阻止部材１０４を固定する必要性と、調節又は再使用が所望される場合の、取り外し性を容易にすることとの兼ね合いを考慮して、より小さい面積又はより大きい面積となるように調節することができる。
【００３３】
一部の実施形態では、取り付け層１２６は、図１に示されるような市販のおむつの内側表面に、剥離可能に結合することを可能にする、構成を有する。多くのそのような構成が可能である。一部の実施形態では、取り付け層１２６は、その外側表面に取り付けられた、機械的締結具の雄型部材を採用している。これは、ループ及びフック取り付けシステムのフック部分を示す、図４の場合である。この図では、取り付け層１２６は、基底層１２８と、その基底層１２８と一体化されており、基底層１２８に垂直な方向で外向きに、阻止部材１０４から離れる方向に突出する、２次元パターンに従って配設された複数の極小複製フック１３０とを有する。このことにより、有利には、多くの市販のおむつの不織布トップシートへの、阻止部材１０４の再配置可能な取り付けが、それら阻止部材１０４にもおむつにも損傷を与えることなく可能になる。
【００３４】
１つの例示的な取り付けシステムは、裏材を含む機械的締結ストリップを使用するものであり、この裏材は、繊維状の標的領域に機械的に係合することが可能な、ループ係合突出部を備える、直立フック又は直立ポストを有する。繊維状の標的領域は、典型的には、不織布材料から作製されるが、織布材料もまた、使用することが可能である。好ましくは、この標的領域は、おむつの内側表面に沿った、大きい表面領域にわたって延びることにより、阻止部材１０４を、広範囲の場所にわたって、再方向付け及び再配置することが可能となる。任意選択的に、この標的領域は、内側表面と本質的に同一の広がりをもつことにより、阻止部材１０４を、その内側表面に沿った任意の場所に固定し、所望により、おむつの内側表面から阻止部材１０４を剥離することによって、容易に取り外すことが可能となる。例示的実施形態では、上記の裏材は、米国特許公開第２０１２／０２０４３８３号（Ｗｏｏｄら）で説明されるように、２次元パターンを形成するようにスリット加工され、その後、横断方向に沿って伸長されることにより、網状の締結ストリップが形成される。
【００３５】
一部の実施形態では、２つ以上の取り付け機構の組み合わせを、使用することができる。例えば、取り付け層１２６は、フックの２次元配列、及び接着剤の双方を含み得る。これらの取り付け機構は、底部シェル層１２２の、同じ領域又は異なる領域にわたって配設することができる。網状の締結ストリップが使用される場合には、接着剤層は、その隙間領域内に配設することが可能である。
【００３６】
材料コストを節減するために、取り付け層１２６は、非連続的に作製することができる。一実施形態では、取り付け層１２６は、互いに平行かつ離隔配置された、一対の締結ストリップで構成され、各締結ストリップは、底部シェル層１２２の対応の周縁部に隣接して、阻止部材１０４の長さに沿って延びる。
【００３７】
これらの実施形態は、網羅的なものではなく、取り付け層１２６は、弾性パッド１１５とおむつとの間の摩擦係数を増大させて、相対移動を防ぐ層を含めた、上述の機能を果たす多くの他の構成を呈し得る。
【００３８】
阻止部材１０４の作製方法は、具体的に制限されるものではない。阻止部材１０４は、手作業で組み立てることができるが、その層状の構造により、連続製造プロセスに関して、特に好適なものとなる。本発明の阻止部材の一実施形態を作製する１つの方法が、図５に示される。
【００３９】
図５を参照すると、この連続プロセスは、第１の不織布ロール１４０、コアロール１４２、第２の不織布ロール１４４、及び取り付け層ロール１４６の、４つの供給ロールを使用する。第１の不織布ロール１４０から開始して、不織布ウェブ１４８が巻き出され、ガイドロールを使用して接着剤塗布器１５０に方向付けられると、その上面上に、接着剤塗布器１５０が、接着剤１５２の薄層を堆積させる。次いで、ウェブ１４８は、切断及び定置装置１５４に搬送され、この切断及び定置装置１５４は、コアロール１４２から連続コア層１４３を誘導して、その連続層を個別片１５６へと切断し、それらの個別片１５６を、間隔をあけて、ウェブ１４８の接着剤表面上に定置する。次いで、上記と同様のプロセスが、コア層の個別片１５６の露出表面、不織布ロール１４４からの接着剤コーティングされた不織布層１５８、及び接着剤塗布器１６０に対して行われる。最終的に、連続取り付け層１４７が、取り付け層ロール１４６から巻き出される。連続取り付け層１４７は、第２の切断及び定置装置１５５に搬送され、この第２の切断及び定置装置１５５は、取り付け層ロール１４６から連続取り付け層１４７を誘導して、その連続取り付け層を個別片１６２へと切断し、それらの個別片１６２を、ウェブ１４８の底面上に定置する。
【００４０】
図４に一旦戻って参照すると、取り付け層が、複製フック１３０を有する機械的締結具である場合には、その取り付け層には、フック１３０の反対側の基底層１２８上に、感圧性接着剤をコーティングすることができる。あるいは、取り付け層には、第２の切断及び定置装置１５５の前に位置決めされた、第３の接着剤塗布器（図示せず）を使用して、インラインで接着剤をコーティングすることもできる。
【００４１】
他の実施形態では、取り付け層は、不織布層の存在なしで、コア片１５６に直接接合することができる。更に他の実施形態では、取り付け層１４７は、機械的締結具ではなく、接着剤とすることができ、この接着剤は、転写テープとして供給される場合もあり、又は、阻止部材上に直接コーティングされる場合もある。この実施形態では、露出した接着剤を保護するために、剥離ライナーによって接着剤を覆うことができる。更に他の実施形態では、接合は、超音波接合、あるいは、熱及び圧力を使用する接合によって達成することができ、接着剤塗布器を、他の接合ステーションで置き換えることができる。
【００４２】
全ての層が、そのように互いに接合されると、ウェブ１４８は、変換ステーション１６４に搬送され、この変換ステーション１６４は、連続ウェブ１４８（及び、その隣接層）を、複数の個別の阻止部材１６６へと切断する。一部の実施形態では、この切断プロセスは、ダイ切断（ロータリーダイ切断など）、切断刃を使用する交差スライス、更に又はレーザー変換によって実施することができる。次いで、そのように作製された阻止部材１６６を、所望されるエンドユーザーの用途に応じて適切に、個包装、又は他の方法でパッケージ化することができる。
【００４３】
図６、図７は、図１のおむつ１０２と共に使用することが可能な、阻止部材２０４に関する代替的構成を示す。阻止部材２０４は、そのサイズ、形状、及び機能を含めた多くの点で、阻止部材１０４に類似しているが、半分に折り畳まれることにより、コア部材２１８を収容する「クラムシェル」ポケットが提供される、一体型シェル２１６を使用する。次いで、折り畳まれている部分を含めシェル２１６の３つの側部が封止されるようにすることにより、矩形のポケットに沿って延びる、図７に示されるようなシーム２２４が形成される。シーム２２４は、熱接合によって、又はシーム１２４に関して前述された任意の他の方法によって、固定することができる。次いで、コア部材２１８を、ポケット内に挿入して、シェル２１６の第４の側部を封止することができる。
【００４４】
阻止部材２０４と先行の実施形態との別の相違点は、おむつの内側表面に取り付けるための、接着剤層２２６の使用である。接着剤層２２６は、好ましくは、指粘着性試験によって、又は従来の測定装置によって判定することができるような、室温（例えば、約２０℃〜約２５℃）での粘着性を呈する、感圧性接着剤（ＰＳＡ）で構成される。この感圧性接着剤は、軽い圧力を加えることで、有用な接着接合を容易に形成することができ、その一方で、おむつの内側表面からのその後の剥離を、適度な剥離力のみで可能にするものである。好ましくは、おむつの内側表面に沿って、阻止部材２０４を繰り返し再配置した場合でさえも、接着剤の残滓又は損傷が、明白となることはない。
【００４５】
一部の実施形態では、接着剤層２２６は、圧縮可能であることにより、粗い表面又は不均一な表面に適合して、良好な接着を達成することが可能となる。一部の実施形態では、接着剤層２２６は、弾性的に圧縮可能な、発泡体両面テープである。いずれの場合にも、接着剤層２２６は、コア部材２１８に対しては恒久的に接合されるが、おむつの内側表面に対しては、剥離可能な接合が可能であることが好ましい。
【００４６】
阻止部材２０４の最適な剥離性及び再配置可能性を提供するために、このＰＳＡ層は、非連続的なものとすることができる。用語「非連続的」とは、本明細書で使用するとき、そのＰＳＡ層が、空隙部を備えることにより、ＰＳＡ層に隣接する層（例えば、シェル２１６）が、そのＰＳＡ層によって完全には覆われていないことを意味する。一部の実施形態では、ＰＳＡ層は、熱接合性キャリアフィルム上に配設された、又はあるいは、シェル２１６上に直接コーティングされた、ＰＳＡの島の形態を取ることができる。
【００４７】
そのようなＰＳＡの島は、特定の形状（例えば、点、縞、又は三角形）、又は不規則な形状を有し得る。一部の実施形態では、ＰＳＡのシートを、微細孔化又は微細構造化することができる。また更なる実施形態では、非連続的ＰＳＡ層は、空隙部を画定する、感圧性接着剤繊維のウェブの形態とすることができ、それらの空隙部を通して、シェル２１６の底面が露出される。
【００４８】
阻止部材２０４の更なる態様は、阻止部材１０４に関して既に説明されたものと本質的に類似しているため、ここでは繰り返さないものとする。
【００４９】
図８及び図９は、シェル及びコア部材が、一体構造の弾性パッド３１５内に統合されている、更に別の実施形態による阻止部材３０４を示す。取り付け層３２６が、弾性パッド３１５の底面に貼り付けられることにより、弾性パッド３１５は、おむつの内側表面に、剥離可能に結合することが可能となる。取り付け層３２６は、図２〜図４の取り付け層１２６と同様の、フックの２次元パターンを使用するが、当業者には既知の、任意の剥離可能な結合機構を使用することが可能である点を理解されたい。ここでは示されていないが、取り付け層３２６は、任意選択的に、弾性パッド３１５内に一体化させることも可能である。
【００５０】
阻止部材２０４は、上記で説明され、図５に示されたものと同様の、連続製造ルートを、任意の必要な適合化と共に使用して、作製することが可能である。
【００５１】
本明細書で説明される、おむつ付属品は、任意選択的に、それらの付属品が介護者によって簡便に保管及び使用されるように、組立品としてパッケージ化することができる。１つの例示的なパッケージ化組立品は、箱又は円筒形キャニスタなどの、容器を使用する。任意選択的に、この容器は、開口端を開放可能に取り囲む、蓋を有する。この容器内には、おむつを定置又は交換する場合に、介護者がアクセスすることが容易な、複数の阻止部材が収容されている。任意選択的に、複数の阻止部材は、その容器の開口端からの容易なアクセスのために、積み重ねられている。代替的実施形態では、複数の阻止部材は、細く脆弱なウェビングによって相互接続され、糸巻き状の構成で巻き付けられている。介護者は、必要に応じて、このロールを巻き出し、開口端を通じて、それらの阻止部材を引き出して、一度に１つの阻止部材を切り離すことができる。
【００５２】
上記のおむつ組立品及びおむつ付属品は、有利には、数多くの方法のうちのいずれかで使用することができる。着用者が、漏れ防護の追加を必要とし得ると疑われる場合、阻止部材は、おむつの内側表面の一部分に対して、取り付け層を位置決めしてから押し付けることによって、剥離可能におむつに取り付けることができる。好ましくは、阻止部材は、その内側表面の一部分と同一の広がりをもつことにより、おむつ組立品が着用されている際、阻止部材が、目に見える形で、おむつの縁部を越えて突出することはない。おむつ組立品は、おむつ製造業者の取扱説明書に従い、おむつタブを使用して着用者に容易に締結することができる。
【００５３】
前述のように、阻止部材は、着用者の身体の形状に適応させるべく、再配置することができる。おむつ組立品が汚れていない場合には、阻止部材は、異なるおむつで再使用するために、その後に取り外すことができる。有利には、この阻止部材は、「要求に応じて」使用することができるため、着用者が病気である場合、又は、任意の他の理由で、粘性が低い便通若しくは体を汚すような便通がある可能性が特に高い場合などの、特別な防護の必要性を介護者が予期する場合にのみ、この阻止部材が実装される。
【００５４】
網羅的であることを意図するものではないが、更なる実施形態を、以下で列挙する。
【００５５】
１．  内側表面を備える、おむつと、この内側表面の一部分に結合された、阻止部材とを備え、この阻止部材が、その内側表面の一部分と同一の広がりをもつ弾性パッドと、この弾性パッドに接合されており、複数の場所で再配置可能に内側表面に取り付けることが可能な、取り付け層とを備える、おむつ組立品。
【００５６】
２．  おむつが、水に対して透過性であるトップシートと、水に対して不透過性である裏材と、それらトップシートと裏材との間に配設された吸収性部材とを更に備える、実施形態１のおむつ組立品。
【００５７】
３．  弾性パッドが、吸収性材料を備える、実施形態１又は実施形態２のおむつ組立品。
【００５８】
４．  弾性パッドが、弾性コアと、この弾性コアを少なくとも部分的に囲むシェルとを備え、取り付け層が、シェルに接合されている、実施形態１又は実施形態２のおむつ組立品。
【００５９】
５．  シェルが、不織布ウェブを備える、実施形態４のおむつ組立品。
【００６０】
６．  不織布ウェブが、５ｇｓｍ〜５０ｇｓｍの範囲の坪量を有する、実施形態５のおむつ組立品。
【００６１】
７．  不織布ウェブが、ポリオレフィンを含む、実施形態５のおむつ組立品。
【００６２】
８．  不織布ウェブが、接合カード式不織布ウェブ、スパンボンド不織布ウェブ、スパンレース不織布ウェブ、メルトブローン不織布ウェブ、エアレイド不織布ウェブ、及びこれらの組み合わせからなる群から選択される、実施形態５のおむつ組立品。
【００６３】
９．  取り付け層が、外側表面と、この外側表面上に配設された、機械的締結具の雄型要素とを有する、実施形態１〜実施形態８のうちのいずれか１つのおむつ組立品。
【００６４】
１０．  機械的締結具の雄型要素が、複製フック材料を備える、実施形態９のおむつ組立品。
【００６５】
１１．  複製フック材料が網状である、請求項１０のおむつ組立品。
【００６６】
１２．  複製フック材料が、非連続的パターンに従って、弾性パッドに接合されている、請求項１０又は請求項１１のおむつ組立品。
【００６７】
１３．  おむつが、機械的締結具の雄型要素に係合して、機械的に保持する、不織布トップシートを備える、実施形態９〜実施形態１２のうちのいずれか１つのおむつ組立品。
【００６８】
１４．  取り付け層が、感圧性接着剤を備える、実施形態１〜実施形態８のうちのいずれか１つのおむつ組立品。
【００６９】
１５．  感圧性接着剤が、非連続的である、実施形態１２のおむつ組立品。
【００７０】
１６．  取り付け層が、感圧性接着剤、ホットメルト接着剤、超音波接合、圧着、又は表面結合を使用して、弾性パッドに接合されている、実施形態１〜実施形態１３のうちのいずれか１つのおむつ組立品。
【００７１】
１７．  弾性パッドが、発泡体又はポリエステル中綿を備える、実施形態１〜実施形態１６のうちのいずれか１つのおむつ組立品。
【００７２】
１８．  発泡体が、独立気泡ポリエチレン発泡体、又は連続気泡ポリウレタン発泡体を含む、実施形態１７のおむつ組立品。
【００７３】
１９．  発泡体が、２５０グラム毎平方センチメートルの荷重下で、その非圧縮厚さの少なくとも５０パーセントまで圧縮し、かつ、その元の厚さの５０パーセントまで１０分間にわたって圧縮された後、その元の厚さの少なくとも８０パーセントまで回復し、この回復が、圧縮力の解除後の３０秒以内に生じる、実施形態１７又は実施形態１８のおむつ組立品。
【００７４】
２０．  弾性パッドが、内側表面に垂直な方向に沿って画定された、５ミリメートル〜２０ミリメートルの範囲の厚さを有する、実施形態１〜実施形態１９のうちのいずれか１つのおむつ組立品。
【００７５】
２１．  おむつが、後縁部を有し、阻止部材が、その後縁部に沿って位置合わせされた細長形状を有する、実施形態１〜実施形態２０のうちのいずれか１つのおむつ組立品。
【００７６】
２２．  弾性パッドが、後縁部に平行な方向に沿って画定された、３５ミリメートル〜１５０ミリメートルの範囲の長さを有する、実施形態２１のおむつ組立品。
【００７７】
２３．  弾性パッドが、その弛緩した非圧縮状態にある場合、１０ミリメートル〜５０ミリメートルの範囲の前後方向の幅を有する、実施形態１〜実施形態２２のうちのいずれか１つのおむつ組立品。
【００７８】
２４．  阻止部材が、内側表面から離れる方向で阻止部材を剥離することによって、内側表面から取り外し可能である、実施形態１〜実施形態２３のうちのいずれか１つのおむつ組立品。
【００７９】
２５．  おむつからの漏れを低減する方法であって、弾性パッドと、この弾性パッドに接合された取り付け層とを有する、阻止部材を提供するステップであって、この取り付け層が、おむつの内側表面に取り付け可能である、ステップと、取り付け層を、内側表面の一部分に結合して、おむつ組立品を提供するステップであって、阻止部材が、その内側表面の一部分と同一の広がりをもつ、ステップと、このおむつ組立品を着用者に締結することにより、阻止部材が、着用者の背部の輪郭に適合して、放出されたあらゆる排泄物が、おむつから漏出することを防ぐ、ステップとを含む、方法。
【００８０】
２６．  取り付け層が、おむつの内側表面に、剥離可能に取り付け可能である、実施形態２５の方法。
【００８１】
２７．  阻止部材を内側表面から後で取り外して、同じおむつ又は異なるおむつの、内側表面の異なる部分に再び取り付けることができるように、取り付け層が再配置可能である、実施形態２５又は実施形態２６の方法。
【００８２】
２８．  取り付け層が、機械的締結具の雄型構成要素を備え、内側表面が、その雄型構成要素に係合することが可能な、機械的締結具の雌型構成要素を備える、実施形態２５〜実施形態２７のうちのいずれか１つの方法。
【００８３】
２９．  取り付け層が、おむつの内側表面に接合することが可能な、感圧性接着剤を備える、実施形態２５〜実施形態２７のうちのいずれか１つの方法。
【００８４】
３０．  感圧性接着剤が、おむつ又は阻止部材のいずれにも損傷を与えることなく、内側表面の同じ場所又は異なる場所に、繰り返し接着させることが可能な、実施形態２９の方法。
【００８５】
３１．  容器と、この容器内に収容された、複数の阻止部材であって、各阻止部材が、弾性パッドと、その弾性パッドに接合された取り付け層とを備え、この取り付け層が、おむつの内側表面への剥離可能な取り付けを可能にする構成を有する、複数の阻止部材とを備える、パッケージ化組立品。
【００８６】
３２．  各阻止部材が、直方柱の形状を概して有する、実施形態３１のパッケージ化組立品。
【００８７】
３３．  取り付け層が、外側表面と、この外側表面上に配設された、機械的締結具の雄型要素とを有する、実施形態３１又は実施形態３２のパッケージ化組立品。
【実施例】
【００８８】
本開示の目的及び利点は、以下の非限定的な実施例によって更に例示されるが、これらの実施例で列挙される特定の材料及びそれらの量、並びに他の条件及び詳細は、本開示を不当に限定するものとして解釈されるべきではない。
【００８９】
特に指定のない限り、実施例及び本明細書の残部での、全ての部、百分率、比率などは、重量によるものである。
【００９０】
試験方法
本発明の阻止部材を備えるおむつを着用している乳幼児の腰のくびれの窪みに沿って、粘性物質が移動することを、有効に防ぐ能力を試験するために、以下の手順を使用した。
【００９１】
６インチの内径、及び０．２５インチの壁厚を有する、長さ１８インチの中空の紙管を調製して、その外表面を、３０ｃｍ×１８ｃｍの、長手方向に定置された厚さ２．５ｍｍのネオプレンゴム片に、一方の端部を位置合わせして適合させ、その管の外周の約半分を覆った。このゴム片は、両面粘着テープを使用して、管に取り付けるものとした。同じ寸法を有する、第２のネオプレンゴム片を、Ｘ−ＡＣＴＯブランドのナイフ（Ｅｌｍｅｒ’ｓ  Ｐｒｏｄｕｃｔｓ，Ｉｎｃ．（Ｗｅｓｔｅｒｖｉｌｌｅ，ＯＨ）より入手可能）を使用して、漏斗形状開口部を作り出すことによって調製するものとし、この漏斗形状の小端部は、乳幼児の腰のくびれをシミュレートするように、約４５度の角度で、漏斗形状の小端部を切断することによって調製された、長さが約２インチ、並びに、上面で約２０ｍｍの幅、及び底面で約１８ｍｍの幅のものとした。この形状の幅広端部から離れる方向の、漏斗形状の小端部の末端部が、漏斗形状の切り取り部内に開口部を提供するものとした。漏斗形状の幅広端部は、最大幅が約３インチの幅であり、その漏斗形状の小端部の内側端部にテープ固定するものとした。漏斗形状の幅広端部の長さは、その漏斗の方向で、約３インチとした。このゴムの切断片を、管上の第１のゴム片に、感圧性両面粘着テープを使用して、対面方式で取り付けた。フック及びループシステムのループ材料の一片を、管に取り付けられたゴムの両端部の間の領域内で、その管に取り付けた。
【００９２】
約大さじ一杯のチョコレートプディングを、漏斗形状の開口部内の、その形状の狭い幅の端部の上側（内側）端部に定置した。試験対象のおむつは、この上に、そのおむつの後側腰部が管の端部（及び、漏斗形状の外側端部）に隣接するように定置され、管上のループ材料に取り付けるために、おむつのフック閉鎖タブを使用することによって、引張され、定位置に保持される。これにより、おむつは、おむつを着用している乳幼児上に存在している場合のように、張力下に保持されるが、この張力は、おむつの弾性耳部が伸長されることによってもたらされる。おむつと管との間に大さじ一杯のプディングが配置されている場所の下方（後側腰部から離れる方向）で、４．５ポンドのローラ（ゴムで覆われた、外径３インチのもの）を、おむつ上に定置する。このローラを、プディングに重なり合うおむつの領域の上で、おむつの腰端部に至るまで回転させる。この時点で、おむつの腰部を越えて、いくらかでもプディングが押し出されているか否かに関して、観察を実施する。おむつの端部からプディングが押し出されていることが観察されない場合には、ローラを、その領域の上で、腰端部に向けて更に２回通過させる。これらの後続のローラの毎回の通過後に、おむつの端部を越えてプディングが押し出されたか否かの観察が、実施される。試験の終了時に、おむつが取り外され、余分なプディングを拭き取ることによって、試験装置を清浄化する。
【００９３】
試験片
実施例１は、３８．１ｃｍ×４３．１ｃｍ×２．５ｃｍのサイズの、２つの発泡体クッション材料片を収容する、Ｐｕｒｅ  Ｆｏａｍ  Ｃｕｓｈｉｏｎ（Ｍｉｃｈａｅｌｓ  Ｓｔｏｒｅｓ  Ｉｎｃ．により流通）パッケージの発泡体材料を、１２０ｍｍ×４０ｍｍ×厚さ１８ｍｍの層片に切り出し、その層片を、Ｆｉｔｅｓａ製のＩｔｅｍ  ＦＯ５４６  Ｓｔｙｌｅ  Ｓ２８０２ＫＳ１ＢＡ０１Ａ、２８ｇｓｍの、不織布片上に定置して、発泡体の上に不織布を折り畳み、発泡体の縁部に隣接する、３つの開放縁部を熱封止し、次いで、余分な不織布を切り取ることにより、例示的な阻止部材を作り出すことによって、調製するものとした。幅１３ｍｍ×長さ１２０ｍｍの、２つの接着剤コーティングされたＹＨＫ−５８３０  ＨＶシリーズのフック材料片（３Ｍ  Ｃｏｍｐａｎｙ（Ｓｔ．Ｐａｕｌ，ＭＮ）より入手可能）を、この原型阻止部材の一方の面上の、発泡体の長手方向縁部近辺に定置した。
【００９４】
実施例２は、実施例１のとおりに調製したが、ただし、厚さ１２ｍｍの発泡体片を使用するものとした。
【００９５】
実施例３は、実施例１のとおりに調製したが、ただし、厚さ７ｍｍの発泡体片を使用するものとした。
【００９６】
実施例４は、実施例１のとおりに調製したが、ただし、厚さ５ｍｍの発泡体片を使用するものとした。
【００９７】
実施例５は、実施例１のとおりに調製したが、ただし、高密度化ポリエステル、ＰＯＬＹ−ＦＩＬ  ＮＵ−ＦＯＡＭ（Ｍｉｃｈａｅｌｓ  Ｓｔｏｒｅｓ  Ｉｎｃ．により流通、かつＦａｉｒｆｉｅｌｄ（Ｄａｎｂｕｒｙ，ＣＴ）製）の、１２０ｍｍ×４０ｍｍ×２２ｍｍの高密度化ポリエステル中綿（クッション）材料片を、３８ｃｍ×４３ｃｍ×５ｃｍのポリエステル中綿片から切り出して、実施例１の発泡体の代わりに使用するものとした。
【００９８】
実施例６は、実施例５のとおりに調製したが、ただし、ポリエステル中綿は、厚さ１９ｍｍとした。
【００９９】
実施例７は、実施例５のとおりに調製したが、ただし、ポリエステル中綿は、厚さ１４ｍｍとした。
【０１００】
実施例８は、実施例５のとおりに調製したが、ただし、ポリエステル中綿は、厚さ８ｍｍとした。
【０１０１】
実施例９は、実施例１のとおりに調製したが、ただし、発泡体は、厚さ１２ｍｍ、及び幅２０ｍｍ×長さ１２０ｍｍとし、幅１３ｍｍのＰＳＡコーティングフックを一片のみ使用するものとした。
【０１０２】
おむつ１〜おむつ９は、実施例１〜実施例９の阻止部材を、おむつの内側の、左右のほぼ中心、かつおむつの後側腰縁部の内側約８ｍｍに取り付けて、次いで、そのおむつを、上述のような試験装置上に定置することによって調製した。
【０１０３】
対照は、阻止部材が追加されていないおむつである。全ての被験おむつは、Ｕｐ  ａｎｄ  Ｕｐブランドのサイズ４のおむつとした。
【表１】
0006795503.tif 000002
【０１０４】
特許証のための、上記出願で引用された全ての参考文献、特許文献、及び特許出願は、一貫した方式で、その全体が参照により本明細書に組み込まれる。組み込まれた参照文献の諸部分と本出願の諸部分との間に、不一致又は矛盾がある場合には、前述の説明における情報が優先されるものとする。特許請求される開示を当業者が実践することを可能にするために示された、前述の説明は、特許請求の範囲及びその全ての均等物によって規定される、本開示の範囲を限定するものとして解釈されるべきではない。本開示の実施態様の一部を以下の［項目１］−［項目１５］に記載する。
［項目１］
内側表面を備える、おむつと、
前記内側表面の一部分に結合された、阻止部材と、を備え、前記阻止部材が、
前記内側表面の前記一部分と同一の広がりをもつ弾性パッドと、
前記弾性パッドに接合されており、複数の場所で再配置可能に前記内側表面に取り付けることが可能な、取り付け層と、を備える、おむつ組立品。
［項目２］
前記弾性パッドが、弾性コアと、前記弾性コアを少なくとも部分的に囲むシェルとを備え、前記取り付け層が、前記シェルに接合されている、項目１に記載のおむつ組立品。
［項目３］
前記シェルが、不織布ウェブを備える、項目２に記載のおむつ組立品。
［項目４］
前記取り付け層が、外側表面と、前記外側表面上に配設された、機械的締結具の雄型要素とを有する、項目１〜３のいずれか一項に記載のおむつ組立品。
［項目５］
前記機械的締結具の前記雄型要素が、網状の複製フック材料を備える、項目４に記載のおむつ組立品。
［項目６］
前記おむつが、前記機械的締結具の前記雄型要素に係合して、機械的に保持する、不織布トップシートを備える、項目４又は５に記載のおむつ組立品。
［項目７］
前記取り付け層が、感圧性接着剤を備える、項目１〜６のいずれか一項に記載のおむつ組立品。
［項目８］
前記取り付け層が、非連続的である、項目１〜７のいずれか一項に記載のおむつ組立品。
［項目９］
前記弾性パッドが、独立気泡ポリエチレン発泡体、連続気泡ポリウレタン発泡体、又はポリエステル中綿を備える、項目１〜８のいずれか一項に記載のおむつ組立品。
［項目１０］
前記発泡体が、２５０グラム毎平方センチメートルの荷重下で、前記発泡体の非圧縮厚さの少なくとも５０パーセントまで圧縮し、かつ、前記発泡体の元の厚さの５０パーセントまで１０分間にわたって圧縮された後、前記発泡体の元の厚さの少なくとも８０パーセントまで回復し、回復が、圧縮力の解除後の３０秒以内に生じる、項目９に記載のおむつ組立品。
［項目１１］
前記弾性パッドが、前記内側表面に垂直な方向に沿って画定された、５ミリメートル〜２０ミリメートルの範囲の厚さを有する、項目１〜１０のいずれか一項に記載のおむつ組立品。
［項目１２］
おむつからの漏れを低減する方法であって、
弾性パッドと、前記弾性パッドに接合された取り付け層とを有する、阻止部材を提供するステップであって、前記取り付け層が、前記おむつの内側表面に取り付け可能である、ステップと、
前記取り付け層を、前記内側表面の一部分に結合して、おむつ組立品を提供するステップであって、前記阻止部材が、前記内側表面の前記一部分と同一の広がりをもつ、ステップと、
前記おむつ組立品を着用者に締結することにより、前記阻止部材が、前記着用者の背部の輪郭に適合して、放出されたあらゆる排泄物が、前記おむつから漏出することを防ぐ、ステップと、を含む、方法。
［項目１３］
前記取り付け層が、前記おむつの前記内側表面に、剥離可能に取り付け可能である、項目１２に記載の方法。
［項目１４］
前記阻止部材を前記内側表面から後で取り外して、同じおむつ又は異なるおむつの、前記内側表面の異なる部分に再び取り付けることができるように、前記取り付け層が再配置可能である、項目１２又は１３に記載の方法。
［項目１５］
容器と、
前記容器内に収容された、複数の阻止部材であって、各阻止部材が、弾性パッドと、前記弾性パッドに接合された取り付け層とを備え、前記取り付け層が、おむつの内側表面への剥離可能な取り付けを可能にする構成を有する、複数の阻止部材と、を備える、パッケージ化組立品。
【図１】
0006795503.tif 000003
【図２】
0006795503.tif 000004
【図３】
0006795503.tif 000005
【図４】
0006795503.tif 000006
【図５】
0006795503.tif 000007
【図６】
0006795503.tif 000008
【図７】
0006795503.tif 000009
【図８】
0006795503.tif 000010
【図９】
0006795503.tif 000011